(57)【要約】【課題】  天板と脚とを容易に連結できるばかりか、天板の撓み等を防止できる天板と脚の取り付け構造を提供すること。【解決手段】  複数の脚体１３、２６が互いに梁材１５、２３によって連結され、梁材１５、２３を上方から覆うように天板５が固定されたテーブル状の構造体であって、少なくとも２本の脚体１３、２６の上端に互いの脚体１３、２６を支持するように第１梁材１５が固定され、第１梁材１５にはその長手方向に第１梁材１５を覆う冠部２７と第１梁材１５の外方に延びるフランジ部２８とからなる骨材１７が固定され、更に周縁部１９に第２梁材２３の設置された天板５を骨材１７のフランジ部２８に固定する。【選択図】  図３
2005296040.tif 000002
【特許請求の範囲】
【請求項１】
複数の脚体が互いに梁材によって連結され、前記梁材を上方から覆うように天板が固定されたテーブル状の構造体であって、少なくとも２本の脚体の上端に互いの脚体を支持するように第１梁材が固定され、前記第１梁材にはその長手方向に該第１梁材を覆う冠部と該第１梁材の外方に延びるフランジ部とからなる骨材が固定され、更に周縁部に第２梁材の設置された天板を前記骨材のフランジ部に固定したことを特徴とする天板と脚の取り付け構造。
【請求項２】
前記天板の周縁には、前記第２梁材を内側に保持する抱持部が形成され、前記天板と前記第２梁材とが少なくとも一時的に一体化して移動可能になっている請求項１に記載の天板と脚の取り付け構造。
【請求項３】
前記天板の周縁に形成された抱持部は、前記第２梁材を下方から支えるフランジ片が形成されている請求項２に記載の天板と脚の取り付け構造。
【請求項４】
前記天板を前記骨材のフランジ部に固定する際、前記天板の一部が前記骨材の冠部に支持され、前記第２梁材が前記フランジ片と前記骨材のフランジ部とで支持されるようになっている請求項３に記載の天板と脚の取り付け構造。
【請求項５】
前記天板を前記骨材のフランジ部に固定する際、前記第１梁材と前記第２梁材とがほぼ同一高さに並設状態となり、前記第２梁材が前記骨材のフランジ部にねじ止めされるようになっている請求項４に記載の天板と脚の取り付け構造。
【請求項６】
前記天板の周縁に形成された抱持部は、前記天板の周縁部のカシメ処理又は曲げ加工によって形成されている請求項２に記載の天板と脚の取り付け構造。
【請求項７】
請求項１ないし６のいずれかに記載の天板と脚の取り付け構造を備えたことを特徴とするキッチン台。
【発明の詳細な説明】
【技術分野】
【０００１】
本発明は、家具、什器等に用いられる天板と脚の取り付け構造に関する。
【背景技術】
【０００２】
従来、家具等に用いられる天板と脚を取り付けるためには、脚の上端にアームを有するブラケットを設けて、このブラケットのアームにテーパ係合部を形成するとともに、天板のコーナー部の側縁にもテーパ係合部を形成し、アームと天板のテーパ係合部同士を係合させることで、ブラケットを介して天板と脚を連結しているものがある（例えば、特許文献１参照）。
【０００３】
また、天板の下面外周側に中空の角柱からなるフレームが設けられており、天板のコーナー部におけるフレーム同士の間に取付具を配置して、この取付具を介して脚を取り付けているものもある（例えば、特許文献２参照）。
【０００４】
【特許文献１】特開平６−５４７１９号公報（第３頁、第３図）
【特許文献２】特開２００２−１５３３２６号公報（第３頁、第２図）
【発明の開示】
【発明が解決しようとする課題】
【０００５】
しかしながら、上記特許文献１、２では、天板をコーナー部に設けたブラケットや取付具などを用いて脚と連結しているので、部品点数が多くなりコストが嵩むばかりか、比較的大きな天板を脚で支持する場合、強度が不足し、天板が撓んでしまうことになる。
【０００６】
本発明は、このような問題点に着目してなされたもので、天板と脚とを容易に連結できるばかりか、天板の撓み等を防止できる天板と脚の取り付け構造を提供することを目的とする。
【課題を解決するための手段】
【０００７】
上記課題を解決するために、本発明の請求項１に記載の天板と脚の取り付け構造は、複数の脚体が互いに梁材によって連結され、前記梁材を上方から覆うように天板が固定されたテーブル状の構造体であって、少なくとも２本の脚体の上端に互いの脚体を支持するように第１梁材が固定され、前記第１梁材にはその長手方向に該第１梁材を覆う冠部と該第１梁材の外方に延びるフランジ部とからなる骨材が固定され、更に周縁部に第２梁材の設置された天板を前記骨材のフランジ部に固定したことを特徴としている。
この特徴によれば、複数の脚体が第１梁材によって連結され、この第１梁材に設けられた骨材のフランジ部に、周縁部に第２梁材を有する天板を上方から覆うように固定することで、天板と脚体とを連結できるので、取付作業が容易になり、かつ第１梁材と第２梁材の梁材によって天板が支持されるのでテーブル状の構造体を強固に形成できる。
【０００８】
本発明の請求項２に記載の天板と脚の取り付け構造は、請求項１に記載の天板と脚の取り付け構造であって、前記天板の周縁には、前記第２梁材を内側に保持する抱持部が形成され、前記天板と前記第２梁材とが少なくとも一時的に一体化して移動可能になっていることを特徴としている。
この特徴によれば、天板と脚体とを組み立てる際に、天板と第２梁材が一体化していることで、天板から第２梁材が外れることなく天板を脚体まで移動させることができ、容易に組立作業を行うことができる。
【０００９】
本発明の請求項３に記載の天板と脚の取り付け構造は、請求項２に記載の天板と脚の取り付け構造であって、前記天板の周縁に形成された抱持部は、前記第２梁材を下方から支えるフランジ片が形成されていることを特徴としている。
この特徴によれば、第２梁材が天板の抱持部によって下方から支えられるので、第２梁材を強固に天板の周縁に取り付けることができ、かつ天板と脚体との組み立て後には、第２梁材から天板が外れるようなことがなくなる。
【００１０】
本発明の請求項４に記載の天板と脚の取り付け構造は、請求項３に記載の天板と脚の取り付け構造であって、前記天板を前記骨材のフランジ部に固定する際、前記天板の一部が前記骨材の冠部に支持され、前記第２梁材が前記フランジ片と前記骨材のフランジ部とで支持されるようになっていることを特徴としている。
この特徴によれば、天板が骨材の冠部を介して第１梁材に支持されるようになるので、天板に加わる荷重を第１梁材で支えることができるとともに、第２梁材が天板の抱持部のフランジ片と骨材のフランジ部とで支持されるので、第２梁材が天板および骨材から外れるようなことがなくなる。
【００１１】
本発明の請求項５に記載の天板と脚の取り付け構造は、請求項４に記載の天板と脚の取り付け構造であって、前記天板を前記骨材のフランジ部に固定する際、前記第１梁材と前記第２梁材とがほぼ同一高さに並設状態となり、前記第２梁材が前記骨材のフランジ部にねじ止めされるようになっていることを特徴としている。
この特徴によれば、第１梁材と第２梁材、または第２梁材に支持板を介してほぼ同一の高さにすることで、天板の上面を面一をなすように形成でき、かつ第１梁材と第２梁材を並設させて骨材のフランジ部を介してねじ止めされることで、梁材の長さ方向の強度が向上するようになる。
【００１２】
本発明の請求項６に記載の天板と脚の取り付け構造は、請求項２に記載の天板と脚の取り付け構造であって、前記天板の周縁に形成された抱持部は、前記天板の周縁部のカシメ処理又は曲げ加工によって形成されていることを特徴としている。
この特徴によれば、別途ねじ等の取付部材を用いることなく天板に第２梁材を取り付けることができ、部品点数を減らすことができるので、製造コストを低減することができる。
【００１３】
本発明の請求項７に記載のキッチン台は、請求項１ないし６のいずれかに記載の天板と脚の取り付け構造を備えたことを特徴としている。
この特徴によれば、キッチン台を製造する部品点数を減らせるとともに、天板と脚とを容易に連結できるので取付作業が簡素化され、キッチン台の製造コストを低減できる。
【発明を実施するための最良の形態】
【００１４】
本発明の実施例を以下に説明する。
【実施例】
【００１５】
本発明の実施例を図面に基づいて説明すると、先ず図１は、本発明の実施例におけるキッチン台の全体像を示す正面図である。以下、図１の紙面手前を前方として説明すると、図１の符号１は、本発明の天板と脚の取り付け構造が適用されたキッチン台であり、このキッチン台１は左右にサイドフレーム２、３が配置され、このサイドフレーム２、３の上部に上部フレーム４が設けられている。
【００１６】
この上部フレーム４の上面には、天板５が取り付けられており、上部フレーム４内の天板５の下部には、ガスコンロ６や手前に引出し可能な引出し７、８が左右方向に並んで配置されている。上部フレーム４の下方右側には、ゴミ箱１１、１２等を収容できる収容空間が形成され、上部フレーム４の下方左側には、上下２段の引出し９、１０が配置されている。
【００１７】
左右に配置されているサイドフレーム２、３は同一構成なので右側に配置されているサイドフレーム２を例に詳述すると、図２は、図１におけるＡ−Ａ縦断側面図であり、以下、図２の左側を前方として説明すると、サイドフレーム２内には、前後に２本の脚体１３、１４が床面に立設されており、それぞれの脚体１３、１４の上端には、左右方向に延びる第１梁材１５、１６が固着されている。
【００１８】
脚体１３、１４と、脚体１３、１４の上端に設けられた第１梁材１５、１６は、ステンレス等の金属製の角柱で構成されており、第１梁材１５、１６には、ステンレス等の金属製の板材を屈曲して形成された骨材１７、１８が取り付けられている。
【００１９】
骨材１７、１８は、第１梁材１５、１６を上方から覆うように設けられており、この骨材１７、１８の上方には、天板５が取り付けられるようになっている。天板５はステンレス等の金属製の板材で構成されており、天板５の周縁部１９、２０には、天板５を屈曲させて形成された抱持部２１、２２が形成され、この抱持部２１、２２によってステンレス等の金属製の角柱で構成された第２梁材２３、２４が天板５に取り付けられている。
【００２０】
前後に配置されている脚体１３、１４は同一構成なので前方に配置されている脚体１３について詳述すると、図３は、天板５を脚体１３に取り付ける状態を示す斜視図であり、以下、図３の左下を前方として説明する。
【００２１】
右側のサイドフレーム２内の前方に配置されている脚体１３の上端には、長手方向が左右方向を向く第１梁材１５がねじ３５等を用いて取り付けられており、この第１梁材１５は、左側のサイドフレーム３内の前方に配置されている脚体２６の上端に取り付けられており、互いの脚体１３、２６同士が第１梁材１５によって連結されるようになっている。
【００２２】
第１梁材１５には、上方から骨材１７が設けられており、この骨材１７には、第１梁材１５を覆う冠部２７と、第１梁材１５の前方側（外方側）に延びるフランジ部２８が形成されている。この骨材１７の冠部２７は、第１梁材１５の前面と後面を挟むよう取り付けられ、骨材１７は、前後方向から複数のねじ２９、３０が挿通されて第１梁材１５に取り付けられている。また、骨材１７のフランジ部２８には、複数の挿通孔３２が形成されており、このフランジ部２８の挿通孔３２には、下方からねじ３１を挿通させることができるようになっている。
【００２３】
天板５の周縁部１９の上面には、天板５上の水滴が周縁部１９からこぼれ落ちないようにするための凸条３３が形成されている。また、天板５の下面には、天板５を支持する支持板３４が設けられているとともに、第２梁材２３が天板５の周縁部１９に設けられ、この支持板３４と第２梁材２３は、天板５と脚体１３、２６とを組み立てる際に、両面テープ等を用いて一時的に一体化されており、天板５から第２梁材２３が外れることなく天板５を脚体１３、２６まで移動させることができ、容易に組立作業を行うことができるようになっている。
【００２４】
図４は、天板５を脚体１３に取り付ける状態を示す縦断側面図であり、以下、図４の左側を前方として説明すると、第１梁材１５の上面には、脚体１３と連結されるときに用いられるねじ３５を挿入するための孔部３６が形成されており、この孔部３６からねじ３５が挿入されて第１梁材１５と脚体１３とが接合されるようになっている。
【００２５】
天板５の周縁部１９には、第２梁材２３を内側に保持する抱持部２１が曲げ加工によって形成されており、この抱持部２１には、第２梁材２３を下方から支持できるフランジ片３７が形成されている。抱持部２１にフランジ片３７が形成されているために、第２梁材２３が抱持部２１によって下方から支えられるので、第２梁材２３を強固に天板５の周縁部１９に取り付けることができる。
【００２６】
また、曲げ加工によって抱持部２１が天板５に形成されていることによって、別途ねじ等の取付部材を用いることなく天板５に第２梁材２３を取り付けることができ、部品点数を減らすことができるので、製造コストを低減することができるようになっている。尚、この抱持部２１は曲げ加工に限ることなく、カシメ処理によって天板５の周縁部１９に形成することもできるようになっている。
【００２７】
第２梁材２３は、第１梁材１５に取り付けられているフランジ部２８に上方から載置されて取り付けられるようになっており、フランジ部２８に取り付けられた第２梁材２３は、フランジ部２８の挿通孔３２に下方から挿通されたねじ３１が、第２梁材２３の下面に形成されたねじ孔２５に螺着されることによって、骨材１７と連結されるようになっている。
【００２８】
図５は、天板５と脚体１３を示す縦断側面図であり、以下、図５の左側を前方として説明すると、天板５が第１梁材１５上に取り付けられると、天板５の下面に設けられた支持板３４が、骨材１７の冠部２７の上面に当接されるようになり、天板５が支持板３４と骨材１７の冠部２７を介して第１梁材１５に支持されるようになるので、天板５に加わる荷重を第１梁材１５で支えることができるようになっている。
【００２９】
また、第２梁材２３は天板５の抱持部２１に形成されたフランジ片３７と、骨材１７に形成されたフランジ部２８によって下方から支えられるようになるので、第２梁材２３が天板５および骨材１７から外れるようなことがなくなるとともに、天板５の抱持部２１にフランジ片３７が形成されていることで、第２梁材２３が、ねじ３１によって骨材１７のフランジ部２８と螺着された後には、天板５が第２梁材２３から外れるようなことがなくなる。
【００３０】
更に、第１梁材１５と第２梁材２３とは、支持板３４を介してほぼ同一の高さに並設されるようになっており、天板５の上面が面一をなすように形成されており、第１梁材１５と第２梁材２３の間には骨材１７が配置されて、互いにねじ止めされることでキッチン台１の強度が向上するようになっている。
【００３１】
本実施例における天板と脚の取り付け構造では、左右に配置されている脚体１３、２６が第１梁材１５によって連結され、この第１梁材１５に設けられた骨材１７のフランジ部２８に、周縁部１９に第２梁材２３を有する天板５を上方から載置するだけで組み立てることができるので、取付作業が容易になるとともに、第１梁材１５と第２梁材２３によって天板５の周縁部１９が支持されるので、キッチン台１のようなテーブル状の構造体を強固に形成でき、天板５の中央部が撓んだりしなくなる。
【００３２】
また、天板５上に加わる荷重を天板５の周縁部１９に設けられた第１梁材１５と第２梁材２３で支持することで、天板５のコーナー部に応力が集中せずにすむようになり、長年の使用にも耐えられるようになっている。
【００３３】
以上、本発明の実施例を図面により説明してきたが、具体的な構成はこれら実施例に限られるものではなく、本発明の要旨を逸脱しない範囲における変更や追加があっても本発明に含まれる。
【図面の簡単な説明】
【００３４】
【図１】本発明の実施例におけるキッチン台の全体像を示す正面図である。
【図２】図１におけるＡ−Ａ縦断側面図である。
【図３】天板を脚体に取り付ける状態を示す斜視図である。
【図４】天板を脚体に取り付ける状態を示す縦断側面図である。
【図５】天板と脚体を示す縦断側面図である。
【符号の説明】
【００３５】
１                キッチン台
２、３            サイドフレーム
４                上部フレーム
５                天板
６                ガスコンロ
７、８、９、１０  引出し
１１、１２        ゴミ箱
１３、１４        脚体
１５、１６        第１梁材
１７、１８        骨材
１９、２０        周縁部
２１、２２        抱持部
２３、２４        第２梁材
２５              ねじ孔
２６              脚体
２７              冠部
２８              フランジ部
２９、３０、３１  ねじ
３２              挿通孔
３３              凸条
３４              支持板
３５              ねじ
３６              孔部
３７              フランジ片
【図１】
2005296040.tif 000003
【図２】
2005296040.tif 000004
【図３】
2005296040.tif 000005
【図４】
2005296040.tif 000006
【図５】
2005296040.tif 000007